(57)【要約】  本発明は、家畜飼育場で温水を製造するためのシステムに関する。システム（１）は、水−水式ヒートポンプ（４）を含む熱力学的温水器（２）を含み、水−水式ヒートポンプ（４）は、（ａ）熱伝達流体を収容することを目的としたいくつかの流体密空洞（７７）であって、少なくとも１つの収容ゾーン（７１）の少なくとも一部の下にある、流体密空洞（７７）を含む少なくとも１つの快適マット（５）と、（ｂ）少なくとも１つの快適マット（７）を通る回収回路（５、６）内で熱伝達流体を循環させるための循環用手段（８、５１）と、を有する、少なくとも１つの回収回路（５、６）に接続されている。 【選択図】図１
2021526374.tif 000002
【特許請求の範囲】
【請求項１】
家畜飼育場で温水を製造するためのシステムであって、
水を加熱することを目的としたヒートポンプ（４）を含む熱力学的温水器（２）を含む、前記システム（１）において、
前記ヒートポンプ（４）は、少なくとも１つの回収回路（５、６）に接続された水−水式ヒートポンプ（４）からなり、前記少なくとも１つの回収回路（５、６）は、熱エネルギーを回収するためのものであり、前記少なくとも１つの回収回路（５、６）の内部を熱伝達流体が循環し、
前記少なくとも１つの回収回路（５、６）は、
（ａ）少なくとも１つのエラストマー層を含み、且つ２つの対向面（７５、７６）、即ち、
−  弾性変形を受けるように適合され、動物が載ることを目的とした少なくとも１つの収容領域（７１）を含む上面（７５）と、
−  受入れ面に載ることを目的とした下面（７６）と、
を有する、少なくとも１つの快適マット（７）であって、
前記少なくとも１つの快適マット（７）は、前記熱伝達流体を収容することを目的としたいくつかの密閉空洞（７７）を含み、
前記密閉空洞（７７）は、前記少なくとも１つの収容領域（７１）の少なくとも一部の下にある、少なくとも１つの快適マット（７）と、
（ｂ）前記少なくとも１つの快適マット（７）内を含め、前記回収回路（５、６）内での前記熱伝達流体の循環を発生させるための循環用手段（８、５１）と、
を含むことを特徴とする、
システム。
【請求項２】
前記少なくとも１つの回収回路（５、６）が、少なくとも２つの回収回路、即ち、
−  前記ヒートポンプ（４）と協働し、一次熱伝達流体が循環する一次回収回路（５）と、
−  前記少なくとも１つの快適マット（７）と前記サーキュレータ手段（８）とを含み、二次熱伝達流体が循環する二次回収回路（６）と、
を含み、
前記一次回収回路（５）と前記二次回収回路（６）は、前記一次熱伝達流体と前記二次熱伝達流体との間の熱交換を確実にするように、受動水−水式熱交換器手段（９）を介して協働することを特徴とする、請求項１に記載のシステム。
【請求項３】
−  少なくとも２つの二次回収回路（６）を並列に含む少なくとも１つの一次回収回路（５）、又は
−  それぞれが少なくとも１つの二次回収回路（６）を含む、少なくとも２つの並列一次回収回路（５）、
を含むことを特徴とする、請求項２に記載のシステム。
【請求項４】
前記少なくとも１つの回収回路（５、６）内における前記熱伝達流体の前記循環を調整するように、前記少なくとも１つの回収回路（５、６）を備える前記サーキュレータ手段（８、５１）を制御するための手段（１０）を含むことを特徴とする、請求項１〜３のいずれか一項に記載のシステム。
【請求項５】
前記少なくとも１つの快適マット（７）の前記密閉空洞（７７）は、互いに平行に又は少なくともほぼ平行に延び、且つ前記密閉空洞（７７）はそれぞれ、直線細長形状を有することを特徴とする、請求項１〜４のいずれか一項に記載のシステム。
【請求項６】
前記少なくとも１つの快適マット（７）は、２つの長手方向縁部（７２）を含み、且つ、
前記密閉空洞（７７）は、前記長手方向縁部（７２）に平行に又は少なくともほぼ平行に延びることを特徴とする、請求項５に記載のシステム。
【請求項７】
前記熱力学的温水器（２）は、温水貯蔵タンク（３）を含み、前記タンク（３）は、有利には、冷水入口（３１）と温水出口（３２）とを含むことを特徴とする、請求項１〜６のいずれか一項に記載のシステム。
【請求項８】
前記温水貯蔵タンク（３）は、前記家畜飼育場（Ｅ）の温水洗浄手段（３３）に接続された温水出口（３２）を含むことを特徴とする、請求項７に記載のシステム。
【請求項９】
請求項１〜８のいずれか一項に記載のシステム（１）を備えた家畜飼育場。
【請求項１０】
畜房（Ｌ）を含み、
前記少なくとも１つの快適マット（７）は、前記畜房（Ｌ）のうちの１つの少なくともの地面を覆い、
前記少なくとも１つの快適マット（７）は、前記畜房（Ｌ）のうちの１つの少なくとも内に延びる複数の密閉空洞（７７）を含む
ことを特徴とする、請求項９に記載の家畜飼育場。
【請求項１１】
少なくとも２列（Ｔ）の畜房（Ｌ）を含み、
前記飼育場（Ｅ）は、それぞれが少なくとも１列（Ｔ）の畜房（Ｌ）を備える少なくとも２つの二次回収回路（６）を含む
ことを特徴とする、請求項２に関連する、請求項１０に記載の家畜飼育場。
【請求項１２】
前記家畜飼育場（Ｅ）は機械室を含み、前記熱力学的温水器（２）は前記機械室内に入れられていることを特徴とする、請求項９〜１１のいずれか一項に記載の家畜飼育場。
【請求項１３】
前記家畜飼育場（Ｅ）は、温水洗浄手段（３３）を含み、前記熱力学的温水器（２）は、温水貯蔵タンク（３）を含み、前記温水洗浄手段（３）は、前記温水洗浄手段（３３）に接続された温水出口（３２）を含むことを特徴とする、請求項８と組み合わされる、請求項９〜１２のいずれか一項に記載の家畜飼育場。
【発明の詳細な説明】
【技術分野】
【０００１】
本発明は、概して、温水製造システムの分野に関する。本発明は、特に、家畜飼育場を備えるように設計された温水製造システムに関する。
【背景技術】
【０００２】
畜産農業では、一般に、大量の温水を必要とする。
【０００３】
例えば、乳用家畜（牛、山羊、羊）においては、搾乳機、ミルクタンク、又は搾乳室を洗浄するために温水が必要である。
【０００４】
現在、温水製造は、畜産農業のエネルギー消費量のかなりの部分を占めている可能性がある。
【０００５】
これは、この温水が単純な電気温水器によって製造されている場合に特に当てはまる。
【０００６】
このエネルギー消費項目を大幅に低減するために、農場は、現在、
−  温水貯蔵タンクと、
−  このタンク内に貯蔵された水を加熱することを目的とした空気−水式ヒートポンプと、
を含む、いわゆる「熱力学的な」温水器を備えることができる。
【０００７】
空気−水式ヒートポンプは、２つの回路、即ち、
−  周囲空気中に存在する熱エネルギーを回収するための回収回路と、
−  熱エネルギーを回生（ｒｅｓｔｏｒｅ）するために、タンクに接続されており、このタンク内に収容された水を加熱することを目的とした加熱回路と、
に接続されている。
【０００８】
しかし、実際には、このようなシステムの「実際の」成績係数（即ち、ＣＯＰ：ｃｏｅｆｆｉｃｉｅｎｔ  ｏｆ  ｐｅｒｆｏｒｍａｎｃｅ）は、一般に、その「理論」値よりも低い。
【０００９】
この差は主に、低温媒体（低温源）の温度変化によって説明される。低温媒体（低温源）の温度の値は低すぎることが多い。
【００１０】
したがって、熱力学的温水器のエネルギー性能（特にＣＯＰ）が最適化される、又は更には、向上する、家畜飼育場で温水を製造するためのシステムが必要とされている。
【発明の概要】
【課題を解決するための手段】
【００１１】
上述の従来技術の欠点に対処するために、本発明は、家畜飼育場で温水を製造するためのシステムを提案する。
【００１２】
システムは、水を加熱することを目的としたヒートポンプを含む熱力学的温水器を含む。
【００１３】
また、本発明によれば、前記ヒートポンプは、少なくとも１つの回収回路に接続された水−水式ヒートポンプからなり、少なくとも１つの回収回路は、熱エネルギーを回収するためのものであり、その内部を熱伝達流体が循環する。
【００１４】
前記少なくとも１つの回収回路は、
（ａ）少なくとも１つのエラストマー層を含み、且つ２つの対向面、即ち、
−  弾性変形を受けるように適合され、動物が載ることを目的とした少なくとも１つの収容領域を含む上面と、
−  受入れ面に載ることを目的とした下面と、
を有する、少なくとも１つの快適マットであって、
前記少なくとも１つの快適マットは、前記熱伝達流体を収容することを目的としたいくつかの密閉空洞を含み、
前記密閉空洞は、前記少なくとも１つの収容領域の少なくとも一部の下にある、
少なくとも１つの快適マットと、
（ｂ）前記少なくとも１つの快適マット内を含め、前記回収回路内での前記熱伝達流体の循環を発生させるための循環用手段と、
を含む。
【００１５】
このようなシステムは、家畜飼育場の熱エネルギー（特に、動物によって生成される熱エネルギー）を回収し、水を加熱するという利点を有する。
【００１６】
このシステムは、（特に、熱力学的温水器で測定されるＣＯＰに関して）特に興味深いエネルギー性能を有する。
【００１７】
例えば、２０℃の周囲温度及び５０％の周囲湿度を有する、１００頭の牛を受け入れる飼育場では、ＣＯＰは２．５であり、６５℃の温水を１日あたり約９ｍ３製造することが可能になる。
【００１８】
このシステムは、水−水式ヒートポンプに熱伝達流体を通過させることにより熱伝達流体を冷却することによる、夏場の動物の熱的快適性への関与においても関心が持たれている。
【００１９】
このシステムは、特に、周囲条件（特に周囲温度）がどのようなものであれ安定である、前記少なくとも１つの回収回路を介して回収される熱エネルギーの規則性及び制御においても関心が持たれている。
【００２０】
実際には、快適マット内を循環する熱伝達流体により、熱エネルギーの回収を確実にする。この回収された熱エネルギーは、ヒートポンプを介して被加熱水に伝達される。
【００２１】
これとは逆に、熱伝達流体は、この同じヒートポンプを通過させることによって冷却される。したがって、存在する動物を冷却し、ゆえに、動物の体温の上昇を制限するために、快適マットはまた、表面が熱伝達流体によって冷却される。
【００２２】
個々に解釈される、又は技術的に可能なあらゆる組み合わせによる、本発明によるシステムの他の非限定的且つ有利な特徴は、以下の通りである。
−  前記少なくとも１つの回収回路は、少なくとも回収回路、即ち、水−水式ヒートポンプと協働し、一次熱伝達流体が循環する一次回収回路と、前記少なくとも１つの快適マットと前記サーキュレータ手段とを含み、二次熱伝達流体が循環する二次回収回路と、を含み、前記一次回収回路と前記二次回収回路は、前記一次熱伝達流体と前記二次熱伝達流体との間の熱交換を確実にするように、受動水−水式熱交換器手段を介して協働し、この場合、好ましくは、システムは、少なくとも２つの二次回収回路を並列に含む少なくとも１つの一次回収回路、又はそれぞれが少なくとも１つの二次回収回路を含む、少なくとも２つの並列一次回収回路を含む。
−  システムは、前記少なくとも１つの回収回路内における熱伝達流体の循環を調整するように、前記少なくとも１つの回収回路を備えるサーキュレータ手段を制御するための手段を含む。
−  受動水−水式熱交換器手段は、２つの異なる内部流体回路、即ち、一次回収回路又は二次回収回路の中から第１の回収回路に接続するための第１の内部流体回路と、それぞれ、二次回収回路及び一次回収回路の中から他方の回収回路に接続するための第２の内部流体回路とを含み、好ましくは、受動水−水式熱交換器手段は中空体を含み、中空体はチャンバを画定し、チャンバは、２つの異なる内部流体回路、即ち、第１の内部流体回路であって、チューブを含み、チューブは、前記チャンバ内に入れられており、２つの貫通孔を備え、２つの貫通孔は前記中空体から開口し、一次回収回路又は二次回収回路に接続する、第１の内部流体回路と、第２の内部流体回路であって、２つのダクトを備える前記チャンバによって形成されており、２つのダクトはそれぞれ、前記中空体から開口し、他方の回収回路に接続するための貫通孔と、前記チャンバ内に開口し、前記チャンバ内の、前記ダクト間での流体循環を可能にするための貫通孔とを備える、第２の内部流体回路と、を収容する。別の特徴によれば、受動水−水式熱交換器手段の第１の内部流体回路は、二次回収回路に接続されており、受動水−水式熱交換器手段の二次内部流体回路は、一次回収回路に接続されている。
−  前記少なくとも１つの快適マットの密閉空洞は、互いに平行に又は少なくともほぼ平行に延び、前記密閉空洞はそれぞれ、直線細長形状を有し、前記少なくとも１つの快適マットは、有利には、２つの長手方向縁部を含み、前記密閉空洞は、前記長手方向縁部に平行に又は少なくともほぼ平行に延びる。
−  前記少なくとも１つの快適マットは、減衰流体を収容することを目的とした、前記密閉空洞と前記マットの前記上面との間に配置された少なくとも１つの密閉チャンバを含み、少なくとも１つの快適マットは、前記少なくとも１つの密閉チャンバにアクセスするための少なくとも１つの貫通孔を含む。
−  前記少なくとも１つの快適マットは単一部品として作製され、前記少なくとも１つの快適マットは、前記密閉空洞、場合によっては、前記少なくとも１つの密閉チャンバを直接画定する。
−  前記熱力学的温水器は、ヒートポンプに結合された温水貯蔵タンクを含み、前記タンクは、有利には、冷水入口と温水出口とを含み、温水貯蔵タンクは、有利には、家畜飼育場の温水洗浄手段に接続された温水出口を含む。
【００２３】
本発明はまた、本発明によるシステムを備えた家畜飼育場であって、前記熱力学的温水器は、有利には、機械室に入れられている家畜飼育場に関する。
【００２４】
家畜飼育場は、有利には、畜房を含む。前記少なくとも１つの快適マットは、前記畜房のうちの１つの少なくとも（ｏｎｅ  ａｔ  ｌｅａｓｔ）の地面を覆い、前記少なくとも１つの快適マットは、前記畜房のうちの１つの少なくとも（ｏｎｅ  ａｔ  ｌｅａｓｔ）内に延びる複数の密閉空洞を含む。
【００２５】
好ましくは、家畜飼育場は、少なくとも２列の畜房を含み、前記飼育場は、それぞれが少なくとも１列の畜房を備える少なくとも２つの二次回収回路を含む。
【００２６】
家畜飼育場は、有利には、温水洗浄手段（又はより一般的には、温水回路）を含み、前記熱力学的温水器は、温水貯蔵タンクを含み、前記温水貯蔵タンクは、前記温水洗浄手段（又はより一般的には、家畜飼育場の温水回路）に接続された温水出口を含む。
【００２７】
本発明はまた、本発明による家畜飼育場で温水を製造するための方法に関する。
【００２８】
この方法は、特に、以下の操作を含む。
−  一次回収回路内において一次熱伝達流体を第１の圧力値で（例えば、２〜５ｂａｒの圧力で）循環させること、
−  二次回収回路内において二次熱伝達流体を前記第１の圧力値よりも低い第２の圧力値で（例えば、およそ６００ｍｂａｒの圧力で）循環させること。
【００２９】
例示的実施形態の詳細な説明
非限定的な例によって与えられる、添付の図面に関連する以下の説明により、本発明が何からなり、どのように実施され得るかを良く理解することが可能になるであろう。
【図面の簡単な説明】
【００３０】
【図１】本発明による、家畜飼育場で温水を製造するためのシステムの主要構成要素の概略図である。
【図２】本発明によるシステムを備えた家畜飼育場の第１実施形態を平面図で概略的に示す。このシステムは、同じ一次回収回路上に直列に取り付けられたいくつかの二次回収回路を含む。
【図３】本発明によるシステムを備えた家畜飼育場の第２実施形態を平面図で概略的に示す。このシステムは、数対の並列一次／二次回収回路を含む。
【発明を実施するための形態】
【００３１】
図１は、本発明による、家畜用の飼育場Ｅで温水を製造するためのシステム１を概略的に示す。
【００３２】
概して、本発明によるこのシステム１は、家畜飼育場Ｅ内の熱エネルギー（特に、動物により生成された熱エネルギー）を回収し、この熱エネルギーを温水の製造のために回生するために、熱伝達流体が内部を循環する快適マットに結合された熱力学的温水器（ＴＷＨ：ｔｈｅｒｍｏｄｙｎａｍｉｃ  ｗａｔｅｒ  ｈｅａｔｅｒ）を含む。
【００３３】
家畜飼育場及び畜房
図１〜図３に概略的に示される家畜飼育場Ｅは、有利には、畜牛、特に、乳牛又は肉牛の飼育用の小屋からなる。
【００３４】
この家畜飼育場Ｅは、有利には、寝床箱（ｂｅｄｄｉｎｇ  ｂｏｘ）を含む。
【００３５】
本明細書の寝床箱は、少なくとも１列に配置された畜房Ｌからなる。家畜飼育場Ｅは、概して、少なくとも２列Ｔ（又はライン）の畜房Ｌ（図２及び図３）を含む。
【００３６】
畜房Ｌは、牛の快適な寝床と、起立／横臥動作の考慮と、快適な直立姿勢と、畜房の汚れの最小化との間で妥協をなす。
【００３７】
各畜房Ｌは、本質的に従来の手法では、且つ図１に概略的に示されるように、
−  例えば管状構造の２つの側方隔壁Ｌ１、
−  アクセス通路に沿って延びる畜房後縁Ｌ２、
−  畜房Ｌの後部を形成している、有利には、背峰のところにある上部バーと、下停止部（又は前進制限部）とを含む、前枠Ｌ３、
−  例えばコンクリートスラブの地面Ｌ４、
によって境界が定められている。
【００３８】
温水製造システム
システム１は、有利には飼育場Ｅの機械室内に入れられた熱力学的温水器２を含む。
【００３９】
本明細書の熱力学的温水器２は、２つの主要構成要素（図１）、即ち、
−  温水貯蔵タンク３、及び
−  飼育場Ｅ内の熱エネルギーを回収し、水（有利には、タンク３内に貯蔵された水）を加熱することを目的とした水−水式ヒートポンプ４（「ヒートポンプ４」とも呼ばれる）、
を含む。
【００４０】
「タンク３」とは、有利には、温水を入れることを目的とした、熱的に絶縁されたリザーバ又は槽を意味する。
【００４１】
タンク３は、特に、接続部、即ち、
−  例えば、家畜飼育場Ｅの水ネットワークに接続される「冷」水入口３１、及び
−  有利には、家畜飼育場Ｅの温水回路３３、好ましくは、家畜飼育場Ｅの温水洗浄手段３３に接続される「温」水出口３２、
を含む。
【００４２】
「ヒートポンプ４」とは、有利には、低温媒体（低温源）から高温媒体（高温源）に熱エネルギー（カロリー）を伝達するためのデバイスを意味する。
【００４３】
本明細書では、ヒートポンプ４は、水−水式ヒートポンプの中から選択される。熱エネルギーは、熱エネルギーを回収することを目的とした第１の熱伝達流体から、熱エネルギーを回生して（本明細書ではタンク３内に貯蔵された）水を加熱することを目的とした第２の熱伝達流体に伝達される。
【００４４】
このヒートポンプ４は、有利には閉回路を含み、閉回路は、冷媒流体を含み、直列に配置された以下の４つの主要素（図示せず）を備える。
−  気体状態から液体状態に変化させることにより、冷媒流体の熱を被加熱水（本明細書ではタンク３内の水）に対して（直接的又は間接的に）放出する凝縮器（高温源）、
−  液相の冷媒流体の圧力を低下させることを目的とした減圧弁、
−  飼育場Ｅから来る熱伝達流体から熱を取り出して冷媒流体を蒸発させる蒸発器（低温源）、及び
−  電動機によって動作し、気体冷媒流体の圧力及び温度を、これを圧縮することにより上昇させる圧縮機。
【００４５】
一方では、ヒートポンプ４とタンク３との間の接続は、以下の２つの代替的な形態を取ってもよい。
−  凝縮器がタンク３内を直接循環して水を加熱する「直接」取付け、又は
−  「温水」加熱回路４１（サーキュレータを有する）が凝縮器とタンク３との間に置かれ、ヒートポンプ４によって生成される熱エネルギーを回生して、このタンク３内に収容された水を加熱する「間接」取付け。
【００４６】
したがって、「温水」加熱回路４１は、熱伝達流体の循環のための閉回路を形成する一連のダクトを含む。
【００４７】
補完又は代替として、「温水」加熱回路４１は、例えば、建物（例えば、家畜飼育場又は隣接する建物）内の加熱回路を形成するように配置され得る。
【００４８】
他方では、ヒートポンプ４、特にその蒸発器は、熱伝達流体が循環する少なくとも１つの回収回路５、６に接続されている。
【００４９】
本発明によれば、前記少なくとも１つの循環回路５、６は、飼育場Ｅ内の熱エネルギー、特に、動物によって放出された熱エネルギーを回収するために、この飼育場Ｅ内に配置されている。
【００５０】
この目的のため、前記少なくとも１つの回収回路５、６は、以下を含む一連のダクトを含む。
−  熱伝達流体が移動することを目的とした密閉空洞を備える少なくとも１つの快適マット７、及び
−  前記少なくとも１つの快適マット７を備える密閉空洞内における前記熱伝達流体の循環を発生させるためのサーキュレータ手段８。
【００５１】
快適マット
本明細書のシステム１は、有利には、整列した畜房Ｌの地面Ｌ４を覆う少なくとも１つの連続的な快適マット７を含む。
【００５２】
したがって、この快適マット７は、前記快適マット７の長さにわたって互いに隣接したいくつかの収容領域７１を含む。代替（図示せず）として、各畜房Ｌは独自の快適マット７を含んでもよく、したがって、これにより、１つの収容領域７１を画定する。
【００５３】
快適マット７は、２対の縁部（図１）、即ち、
−  ２つの長手方向縁部、即ち、備え付けられた畜房Ｌの後縁Ｌ２に沿って延びることになる後部長手方向縁部７２と、畜房Ｌのラインの前枠Ｌ３に沿って延びることになる前部長手方向縁部７３と、
−  ラインの端部にある２つの畜房Ｌ間の側方隔壁Ｌ１に位置することになる２つの横断方向縁部７４と、
によって境界が定められた略矩形形状を有する。
【００５４】
快適マット７はまた、２つの対向面、即ち、
−  弾性変形を受けるように適合され、動物が載ることを目的とした収容領域７１を形成する上面７５、及び
−  畜房Ｌの地面Ｌ４に載ることを目的とした下面７６、
を含む。
【００５５】
快適マット７の各収容領域７１は、本明細書では、動物を収容することを目的とする。
【００５６】
したがって、各収容領域７１は、畜房Ｌの地表Ｌ４に対応し、２つの側方隔壁Ｌ１によって側方の境界が定められている。
【００５７】
したがって、各収容領域７１は、以下の異なる縁部によって境界が定められた略矩形形状を有する。
−  それぞれ、畜房Ｌの側方隔壁Ｌ１と整列して位置する２つの側方縁部７１１（図２及び図３にかなり概略的に示す）、
−  畜房Ｌの後縁Ｌ２に隣接する後縁部７１２（快適マット７の後部長手方向縁部７２の一部分を形成している）、及び
−  畜房Ｌの前枠Ｌ３に隣接する前縁部７１３（快適マット７の前部長手方向縁部７３の一部分を形成している）。
【００５８】
更に、快適マット７は、少なくとも１つのエラストマー層を含む。
【００５９】
この快適マット７は、有利には、このエラストマー材料から単一部品として作製され得る。したがって、快適マット７は「エラストマー層７」とも呼ばれ得る。
【００６０】
このエラストマー層は、以下の中から選択される、「弾性材料」とも呼ばれる、弾性変形を受けるように適合された少なくとも１つの材料でできている。
−  エラストマー材料、即ち、例えば、天然ゴム、「合成天然」ゴム（又は合成ポリイソプレン）、ポリブタジエン、若しくはスチレンブタジエン、又は
−  プラスチック又は熱可塑性エラストマー（ＴＰＥ）材料、即ち、例えば、ＰＶＢ（ポリビニルブチラール）、ＡＢＳ（アクリロニトリルブタジエンスチレン）／ＳＢＲ（スチレンブタジエン）、ＰＰ（ポリプロピレン）／ＥＰＤＭ（エチレンプロピレンジエンモノマー）、ＴＰＵ（ポリウレタン系ＴＰＥ）。
【００６１】
このエラストマー層は、有利には、単一材料（単一材料からの）又は複数材料（異なる材料でできた、少なくとも２つの重ね合わされたサブ層を有する）のいずれかである、単一部品として作製される。
【００６２】
エラストマー層はまた、テキスタイル繊維、金属繊維、又は安定性及び／若しくは耐伸性を提供する任意の他の製品の中から選択された補強サブ層を含んでもよい。
【００６３】
これら補強サブ層は、例えば、有利には、ナイロン、綿、ポリエステル、ポリアミド、又は任意の他の補強テキスタイルの中から選択された材料でできた、補強材としての機能を果たすテキスタイル挿入物からなる。
【００６４】
快適マット７は、熱伝達流体を収容することを目的としたいくつかの密閉空洞７７を更に含む。これら密閉空洞７７は、有利には、前記少なくとも１つのエラストマー層内に形成されている。
【００６５】
密閉空洞７７は互いに隣接し、それぞれ、快適マット７の収容領域７１の一部の下にある。換言すると、快適マット７の収容領域７１は、存在する密閉空洞７７の下にある。
【００６６】
この目的のため、密閉空洞７７はそれぞれ、長手方向軸線７７’を画定する直線細長形状を有する管状構造からなる。
【００６７】
本明細書では、これら密閉空洞７７は、数が６つである。概して、密閉空洞７７の数は、有利には、４〜１０個を含む。
【００６８】
密閉空洞７７は、快適マット７の表面７５、７６に平行に延びる平面Ｐ内に分配されている。
【００６９】
したがって、これら密閉空洞７７（特に、それら各々の長手方向軸線７７’）は、快適マット７の表面７５、７６に対して平行に又は少なくともほぼ平行に延びる。
【００７０】
したがって、これら密閉空洞７７（特に、それら各々の長手方向軸線７７’）はまた、互いに対して、且つ快適マット７の長手方向縁部７２、７３に対して平行に又は少なくともほぼ平行に延びる。
【００７１】
したがって、各密閉空洞７７は、各収容領域７１の側方縁部７１１間に延びる、これら各収容領域７１の側方縁部７１１に垂直な、連続するセクションを含む。
【００７２】
密閉空洞７７はそれぞれ、熱伝達流体を収容することを目的とし、熱伝達流体は、密閉空洞７７の各々の長さにわたって循環して、熱エネルギーを回収し、また、有利には、快適マット７の上面７５の温度を調整する。
【００７３】
この目的のため、各密閉空洞７７は、２つの貫通孔７７１によって終端し、２つの貫通孔７７１はそれぞれ、快適マット７の横断方向縁部７４のうちの１つに配置されている。
【００７４】
これら貫通孔７７１は、前記少なくとも１つの回収回路５、６との流体連通を可能にする。
【００７５】
密閉空洞７７は、本明細書では互いに流体的に独立している。この場合、密閉空洞７７のうちの１つの穿孔により、快適マット７の全密閉空洞の排出が引き起こされることはない。
【００７６】
したがって、各密閉空洞７７は、熱伝達流体を循環させるために、それに適した２つの貫通孔７７１を含む。
【００７７】
本明細書の貫通孔７７１は、快適マット７の横断方向縁部７４で直接開口している。
【００７８】
貫通孔７７１は、有利には、長手方向縁部７４に垂直に方向付けられた切断線に沿ってエラストマー層を所定の長さに切断することにより得られる。
【００７９】
実際、エラストマー層は、設置前、有利には、数メートルの長さ、特に、長さ３メートルを超えるロールとして保管されている。
【００８０】
このロール実施形態は、畜房Ｌのラインに沿って巻き出し、その後、このラインに対する所望の長さに適切に切断することによる、家畜飼育場Ｅでの快適マット７の簡単且つ迅速な取付けを可能にすることにおいて関心が持たれている。
【００８１】
更に、前記少なくとも１つのエラストマー層は、有利には、減衰流体を収容することを目的とした、前記密閉空洞７７と前記マット７の前記上面７５との間に配置された少なくとも１つの密閉チャンバを含む。
【００８２】
前記少なくとも１つのエラストマー層は、前記少なくとも１つの密閉チャンバにアクセスするための少なくとも１つの貫通孔を含む。
【００８３】
前記少なくとも１つのエラストマー層は、有利には、単一部品として作製され、エラストマー層は前記密閉空洞７７、場合によっては、前記少なくとも１つの密閉チャンバを直接画定する。
【００８４】
一般に、このような快適マットは、例えば、仏国特許出願公開第１５５９８０４号明細書／国際公開第２０１７／０６４４１７号パンフレットに記載されている。
【００８５】
一次回収回路及び二次回収回路
図１〜図３に示される実施形態によれば、前記少なくとも１つの回収回路５、６は、有利には、熱交換器手段９を介して協働する、直列の少なくとも２つの回収回路５、６、即ち、
−  ヒートポンプ４、特にその蒸発器と協働し、一次熱伝達流体が循環する少なくとも１つの一次回収回路５、及び
−  前記少なくとも１つの快適マット７と前記サーキュレータ手段８とを含み、二次熱伝達流体が循環する少なくとも１つの二次回収回路６、
を含む。
【００８６】
一方では、一次回収回路５は、一次熱伝達流体を収容し、ヒートポンプ４と熱交換器手段９との間における一次熱伝達流体の循環を確実とすることを目的とした一連のダクト又はパイプを含む。
【００８７】
一次熱伝達流体は、有利には、液体、例えば、水又は水／グリコール混合物の中から選択される。
【００８８】
本明細書の一次回収回路５は、熱交換器手段９とヒートポンプ４とによって分離された、以下の２つの部分を含む閉回路からなる（図１）。
−  ヒートポンプ４から熱交換器手段９へと延びる上流部分５ａ、及び
−  熱交換器手段９からヒートポンプ４へと延びる下流部分５ｂ。
【００８９】
一次回収回路５は、本明細書ではループに沿った、「循環手段」とも呼ばれる、この一次熱伝達流体の循環を発生させるための手段５１を含む。
【００９０】
「循環手段」とは、例えば、渦巻ポンプ型の電動ポンプを意味する。
【００９１】
一次回収回路５はまた、圧力調整器手段及び／又は流量調整器手段を含んでもよい。
【００９２】
したがって、この一次回収回路５内の圧力は、有利には、およそ２〜５ｂａｒの値に調整される。
【００９３】
その一方で、二次回収回路６もまた、快適マット７と関連付けられた、二次熱伝達流体を収容するための一連のダクト又はパイプを含む。
【００９４】
この二次回収回路６は、熱交換器手段９と快適マット７との間における二次熱伝達流体の循環を確実にするために設けられている。
【００９５】
二次熱伝達流体は、有利には、液体、例えば、水又は水／グリコール混合物の中から選択される。
【００９６】
本明細書の二次回収回路６は、快適マット７と熱交換器手段９とによって分離された、以下の２つの部分を含む閉回路からなる。
−  快適マット７から熱交換器手段９へと延びる上流部分６ａ、及び
−  熱交換器手段９から快適マット７へと延びる下流部分６ｂ。
【００９７】
二次回収回路６もまた、本明細書ではループに沿った、「循環手段」とも呼ばれる、この二次熱伝達流体の循環を発生させるための手段８を含む。
【００９８】
「循環手段」とは、例えば、渦巻ポンプ型の電動ポンプを意味する。
【００９９】
特に、二次回収回路６は、対応する快適マット７の密閉空洞７７に沿った二次熱伝達流体の分配及び並列循環を確実にする。
【０１００】
二次回収回路６は、この目的のために、以下を含む。
−  快適マット７の第１の横断方向縁部７４に位置する密閉空洞７７の貫通孔７７１に並列に接続された、流体供給用の上流流体連通手段、及び
−  快適マット７の第２の横断方向縁部７４に位置する密閉空洞７７の貫通孔７７１に並列に接続された、送出流体の回収用の下流流体連通手段。
【０１０１】
上流／下流流体連通手段はそれぞれ、各密閉空洞７７内での熱伝達流体の並列循環を確実にするために、例えば、クラリネット型のデバイスを含む。
【０１０２】
クラリネット部と隣接する貫通孔７７１との接続は、有利には、機械的な密閉手段を介して行われる。
【０１０３】
上流流体連通手段は、有利にはまた、圧力調整器手段及び／又は流量調整器手段を備える。
【０１０４】
したがって、密閉空洞７７内の圧力、より一般的には二次回収回路６内の圧力は、例えば、２００ｍｂａｒ〜１ｂａｒ（例えば、およそ６００ｍｂａｒ）の圧力に調整される。
【０１０５】
更に、熱交換器手段９は、有利には、一次熱伝達流体と二次熱伝達流体との間の熱交換を確実にするように、受動水−水式熱交換器手段からなる。
【０１０６】
熱交換器手段９は、２つの流体が移動して、これら２つの流体の間の熱交換を得ることを目的とした２つの流体回路を含む、通常の熱交換器（多管式熱交換器、プレート式熱交換器等）の中から選択されてもよい。
【０１０７】
本明細書では、熱交換器手段９は、中空体９１を含み、中空体９１は、２つの流体のうちの１つが移動することになる２つの内部流体回路９３、９４を収容するチャンバ９２を画定する。
【０１０８】
中空体９１及びそのチャンバ９２は、例えば、略円筒形を有する。
【０１０９】
チャンバ９２は、特に、垂直長手方向軸線９２’と、２つの反対端部、即ち上端部９２１及び下端部９２２と、を含む。
【０１１０】
第１の内部流体回路９３は、例えば螺旋形を有するチューブの形態であり、チャンバ９２内に入れられている。
【０１１１】
このチューブは、前記チューブ９３内に存在する流体とチャンバ９２を満たす流体との間の熱交換を可能にするために、熱伝導性材料でできている。
【０１１２】
この第１の内部流体回路９３は、互いに対向し、上下に配置された（ｓｕｐｅｒｉｍｐｏｓｅｄ）２つの孔９３１、９３２を備え、２つの孔９３１、９３２、即ち、上孔９３１及び下孔９３２は、中空体９１から開口している。
【０１１３】
この第１の内部流体回路９３は、本明細書では、二次回収回路６に接続されている。
【０１１４】
好ましくは、この二次回収回路６は、
−  上流部分６ａが上孔９３１と接続され、
−  下流部分６ｂが下孔９３２と接続されるように、
第１の内部流体回路９３に接続されている。
【０１１５】
換言すると、二次回収回路６は、二次熱伝達流体が上孔９３１を通って入り、下孔９３２を通って出るように、第１の内部流体回路９３に接続されている。
【０１１６】
第２の内部流体回路９４は、２つのダクト、即ち上ダクト９４１及び下ダクト９４２を備えるチャンバ９２によって形成されている。
【０１１７】
これらダクト９４１、９４２はそれぞれ、チャンバ９２の２つの端部９２１、９２２のうちの１つに配置されている。
【０１１８】
例えば、第１の上ダクト９４１は、チャンバ９２の上端部９２１に配置されており、第２の下ダクト９４２は、チャンバ９２の下端部９２２に配置されている。
【０１１９】
これら２つのダクト９４１、９４２はそれぞれ、以下の２つの孔を含む。
−  中空体９１から開口し、一次回収回路５に接続する、第１の外部孔９４１１、９４２１、及び
−  チャンバ９２内に開口し、前記チャンバ９２内の、ダクト９４１とダクト９４２との間での流体循環を可能にする第２の内部孔９４１２、９４２２。
【０１２０】
本明細書では、第２の内部流体回路９４は一次回収回路５に接続されている。したがって、一次熱伝達流体は、チャンバ９２を満たすことと、第１の内部流体回路９３を浸水させることを目的としている。
【０１２１】
好ましくは、第２の内部流体回路９４は、上流部分５ａが下ダクト９４２と接続され、下流部分５ｂが上ダクト９４１と接続されるように、一次回収回路５に接続されている。
【０１２２】
換言すると、一次回収回路５は、一次熱伝達流体（低温）が下ダクト９４２を通って入り、上ダクト９４１を通って出る（加熱される）ように、第２の内部流体回路９４に接続されている。
【０１２３】
代替（図示せず）として、単一の回収回路５、６が、一方では、ヒートポンプ４（特に、その蒸発器）と、他方では、少なくとも１つの快適マット７及び前記サーキュレータ手段８と協働することができる。
【０１２４】
回収回路の実施形態
一次回収回路５及び二次回収回路６は、特に、飼育場Ｅ内の畜房Ｌの形態を考慮に入れ、カスタマイズして配置されてもよい。
【０１２５】
概して、図２及び図３にかなり概略的に示されるように、回収回路５、６は、いくつかの二次回収回路６を含み、二次回収回路６はそれぞれ、一連（又は列）の畜房Ｌを覆う快適マット７を備える。
【０１２６】
例えば、二次回収回路６を備える快適マット７は、有利には、２０〜７０個の収容領域７１を含む。
【０１２７】
特に、飼育場Ｅは、有利には、少なくとも１列Ｔの畜房Ｌをそれぞれ備える少なくとも２つの二次回収回路６を含む。
【０１２８】
更に好ましくは、二次回収回路６は、２つの対称な快適マット７（それぞれ、連続するいくつかの収容領域７１含む）を含み、その密閉空洞７７は、
−  第１の快適マット７が前記二次回収回路６の前進セクションを形成し、
−  第２の快適マット７が前記二次回収回路６の帰還セクションを形成する
ように、互いに流体的に接続されている。
【０１２９】
代替として、二次回収回路６は、快適マット７（連続するいくつかの収容領域７１含む）を含み、その密閉空洞７７は、
−  少なくとも１つの密閉空洞７７が前記二次回収回路６の前進セクションを形成し、
−  少なくとも１つの密閉空洞７７が前記二次回収回路６の帰還セクションを形成する
ように互いに流体的に接続されている。
【０１３０】
図２及び図３に、可能な実施形態を概略的に示す。
【０１３１】
図２に示される第１実施形態によれば、システム１は、単一の一次回収回路５を含み、単一の一次回収回路５は、少なくとも２つの二次回収回路６（列Ｔ当たりに１つの二次回収回路６）を並列に含む。
【０１３２】
この場合、各二次回収回路６は、熱交換器手段９を介して一次回収回路５と協働する。
【０１３３】
また、一次回収回路５は、存在する異なる熱交換器手段９を直列に接続するように配置されている。したがって、一次熱伝達流体は、これら連続する熱交換器手段９を通って連続的に移動する。
【０１３４】
本明細書では、一次回収回路５は、以下を含む。
−  ヒートポンプ４から熱交換器手段９へと延びる上流部分５ａ、
−  最後の熱交換器手段９からヒートポンプ４へと延びる下流部分５ｂ、及び
−  ２つの熱交換器手段９の間に、本明細書では、熱交換器手段９の上ダクト９４１から下流熱交換器手段９の下ダクト９４２へと延びる中間部分５ｃ。
【０１３５】
図３に示される第２実施形態によれば（依然として図１に対応する）、システム１は、一次回収回路５／二次回収回路６のいくつかの並列対を含む。
【０１３６】
この場合、一次回収回路５及びその対応する二次回収回路６は、適切な熱交換器手段９を介して協働する。
【０１３７】
したがって、各対内において、一次熱伝達流体は、この対の熱交換器手段９のみを通って移動する。
【０１３８】
制御手段
システム１はまた、有利には、前記少なくとも１つの回収回路５、６を備える、ヒートポンプ４及びサーキュレータ手段８、５１を制御するための手段１０を含む。
【０１３９】
特に、制御手段１０は、二次回収回路６と一次回収回路５とを備えるサーキュレータ手段８、５１を制御するように適合された、（電子及び／又はコンピュータタイプの）制御手段１０からなる。
【０１４０】
この構成は、各回収回路５、６内における、以下の熱伝達流体の循環の調整を可能にする。
−  各これら二次回収回路６内の二次熱伝達流体、及び
−  前記少なくとも１つの一次回収回路５内の一次熱伝達流体。
【０１４１】
動作
熱力学的温水器２が、前記少なくとも１つの回収回路５、６と、場合によっては、前記加熱回路４１と接続される。
【０１４２】
したがって、制御手段１０は、有利には、温水の需要を考慮に入れることにより、熱力学的温水器２の動作及び前記少なくとも１つの回収回路５、６の動作を自動的に制御することができる。
【０１４３】
温水を製造するために、制御手段１０は、家畜飼育場Ｅ内の熱エネルギー（特に、快適マット７上の動物により生成された熱エネルギー）を回収し、この熱エネルギーを被加熱水に伝達するために、ヒートポンプ４と前記少なくとも１つの対応する回収回路５、６とを始動させる。
【０１４４】
より正確には、熱伝達流体は、本明細書では、異なる回収回路５、６内を循環する。即ち、
−  二次熱伝達流体は、動物により生成された熱エネルギーを回収するために、循環手段８の動作下で（例えば、６００ｍｂａｒの圧力で）二次回収回路６（前記少なくとも１つの快適マット７を含む）の１つの少なくとも（ｏｎｅ  ａｔ  ｌｅａｓｔ）内において循環し、
−  一次熱伝達流体は、熱エネルギーを二次回収回路６から（熱交換器手段９を介して）ヒートポンプ４へと伝達するために、循環手段５１の動作下で（例えば、およそ２〜５ｂａｒの圧力で）前記少なくとも１つの一次回収回路５内において循環する。
【０１４５】
特に、いかなる理論によっても制限されるものではないが、動物により生成された熱エネルギーは、熱伝導現象によって二次熱伝達流体に伝達される。
【０１４６】
この熱エネルギーを伝達するために、本明細書の熱交換は、熱交換器手段９内において、一方では、その二次回収回路６内に収容された二次熱伝達流体と、他方では、その一次回収回路５内に収容された一次熱伝達流体との間で行われる。
【０１４７】
二次回収回路６において、本明細書の二次熱伝達流体は、密閉空洞７７内を並列に移動する。二次熱伝達流体の流れは、これら密閉空洞７７を同時に通過するように分割される。
【０１４８】
熱伝達流体のこの循環はまた、隣接する密閉空洞７７内で同じ方向に行われる。したがって、流体は、快適マット７の第１の横断方向縁部７４に位置する（図１では右側）貫通孔７７１から、快適マット７の第２の横断方向縁部７４に位置する（図１では左側）貫通孔７７１へと移動する。
【０１４９】
この温水製造中、一次熱伝達流体及び二次熱伝達流体は、有利には、それぞれ、前記少なくとも１つの一次回収回路５及び前記少なくとも１つの二次回収回路６内を連続的に循環する。
【０１５０】
代替として、各二次回収回路６内において、二次熱伝達流体の温度が、動物に不快を生じさせそうな最低温度よりも低い場合、二次熱伝達流体の循環を停止させることができる。
【０１５１】
実際、二次熱伝達流体は、熱交換器手段９を通過することにより冷却され、逆に、快適マット７を通過することにより加熱される。これとは逆に、一次熱伝達流体は、その一部が熱交換器手段９を通過中に加熱され、その後、ヒートポンプ４を通過中に冷却される。
【０１５２】
特に、快適マット７の入口において、二次熱伝達流体は、有利には、５℃〜２５℃を含む温度である。
【０１５３】
この「冷却される」二次熱伝達流体は、動物の熱的快適性においても関心が持たれている。快適マットは、存在する動物を冷却し、ゆえに、動物の体温の上昇を制限するために、表面がこの二次熱伝達流体によって冷却される。
【０１５４】
並行して、ヒートポンプ４は、一次熱伝達流体から回収された熱エネルギーをタンク３内に貯蔵された水に伝達し、その加熱を確実とする。
【０１５５】
代替として、ヒートポンプ４は、一次熱伝達流体から回収された熱エネルギーを加熱回路４１内に貯蔵された水に伝達する。この加熱回路４１は、タンク３又は建物の加熱を確実にすることを目的とする。
【０１５６】
必要な温水が製造されると、制御手段１０は、ヒートポンプ４と、前記少なくとも１つの対応する回収回路５、６とを停止させることができる。
【０１５７】
したがって、本発明によるシステムは、特に興味深いエネルギー性能（特に、熱力学的温水器で測定されるＣＯＰにおいて）を有する。
【０１５８】
このシステムはまた、高い周囲温度に曝される動物の熱的快適性においても関心が持たれるものであり得る。
【図１】
2021526374.tif 000003
【図２】
2021526374.tif 000004
【図３】
2021526374.tif 000005
【国際調査報告】
2021526374.tif 000006
2021526374.tif 000007
2021526374.tif 000008
2021526374.tif 000009